(57)【要約】【課題】電池の高容量化を図るために封口缶の外周壁を一重の壁で形成しても、外装缶と封口缶との間をガスケットで確実に封止できる扁平形電池を提供する。【解決手段】正極缶１の周壁１３が底板１２から立ち上がっている。負極缶２には、逆皿形状の収容部２１の開口下端部２２の外周縁に一重の外周壁２４ａが連続して垂設される。ガスケット３には、正極缶１の底板１２に接する状態で負極缶２の外周壁２４ａの下端周縁２０を受け止めるベース部２５と、ベース部２５から上向きに張り出して正極缶１の周壁１３と負極缶２の外周壁２４ａとの間に介在する外筒壁２６とを有する。正極缶１の周壁１３の開口側が正極缶１の軸芯側へ向けて湾曲することで、負極缶２の外周壁２４ａに対して横向きの姿勢となる湾曲端部１３ａが正極缶１に形成される。正極缶１の湾曲端部１３ａは、ガスケット３の外筒壁２６の上端部を負極缶２の外周壁２４ａ側へ向けて垂直方向に押圧する。【選択図】図１
2008262905.tif 000002
【特許請求の範囲】
【請求項１】
上向きに開口する外装缶と、下向きに開口する封口缶と、前記外装缶と前記封口缶との周縁間に配置されて前記外装缶と前記封口缶との間を封止するガスケットとを有していて、前記封口缶と前記ガスケットとを前記外装缶内に嵌め込んでから前記外装缶の筒状の周壁の開口側を前記外装缶の軸芯側へ湾曲させて、前記外装缶と前記封口缶とを前記ガスケットを介在させた状態でかしめ固定してある扁平形電池であって、
前記外装缶の前記周壁は、前記外装缶の底板に対して垂直に立ち上がっており、
前記封口缶は、逆皿形状の収容部と、当該収容部から下向きに垂設した一重の外周壁とを有しており、
前記封口缶の前記収容部は、その開口下端部が外向きのフランジ状に張り出し形成されていて、前記開口下端部の外周縁に前記外周壁が連続して形成されており、
前記封口缶の前記外周壁は、前記外装缶の前記底板に対して垂直になるように配置されており、
前記ガスケットは、前記外装缶の前記底板に接する状態で前記封口缶の前記外周壁の下端側の周縁を受け止めるベース部と、当該ベース部から上向きに張り出して前記外装缶の前記周壁と前記封口缶の前記外周壁との間に介在する外筒壁とを有しており、
前記外装缶の前記周壁は、当該周壁の開口側が前記外装缶の軸芯側へ向けて湾曲することで、前記封口缶の前記外周壁に対して横向きの姿勢となる湾曲端部が形成されており、
前記外装缶の前記周壁の前記湾曲端部が、前記ガスケットの前記外筒壁の上端部を前記封口缶の前記外周壁側へ向けて垂直方向に押圧していることで、前記ガスケットの前記外筒壁の前記上端部が垂直方向に圧縮されていることを特徴とする扁平形電池。
【請求項２】
前記外装缶の前記周壁の前記湾曲端部の先端位置が、前記封口缶の前記外周壁の内面よりも前記外装缶の軸芯側に位置していて、前記封口缶の前記外周壁の前記内面を延長した第１の仮想延長面から前記外装缶の前記周壁の前記湾曲端部の前記先端位置までの横方向の寸法が、前記封口缶の前記外周壁の厚さ寸法の１０〜３００％の寸法範囲内に設定されており、
前記封口缶の前記外周壁の外面を延長した第２の仮想延長面が前記外装缶の前記周壁の外面に接する箇所において、前記第２の仮想延長面に対する前記箇所に接する仮想平面の上方向への傾斜角度が６５〜１０５°の範囲内に設定されている請求項１記載の扁平形電池。
【請求項３】
前記外装缶の前記周壁の下部に繋がっていて前記外装缶の前記周壁の湾曲が始まる湾曲始点位置が、前記封口缶の前記収容部の前記開口下端部よりも上側に位置している請求項１又は２記載の扁平形電池。
【請求項４】
前記外装缶の前記底板の中央部分を下向きに凹ませて凹部を形成していて、前記凹部の外側に当該凹部を囲む環状の外周縁部が形成されており、
前記ガスケットの前記ベース部が、前記外装缶の前記底板の前記外周縁部に接触している請求項１乃至３のいずれかに記載の扁平形電池。
【請求項５】
前記封口缶の前記外周壁が、開口側に向かうに従って厚さ寸法が小さくなる先細り状に形成してある請求項１乃至４のいずれかに記載の扁平形電池。
【発明の詳細な説明】
【技術分野】
【０００１】
本発明は、ボタン型電池やコイン型電池等の扁平形電池に関するものである。
【背景技術】
【０００２】
特許文献１・２には、上向きに開口する皿状の正極缶（外装缶）の周縁と、下向きに開口する皿状の負極缶（封口缶）の周縁との間にガスケットを介在させた状態でかしめ固定することで、ガスケットによって正極缶と負極缶との間を封止する扁平形電池が開示されている。つまり、特許文献１・２の扁平形電池では、負極缶は、電極材（負極材）収容用の浅い逆皿形状の収容部と、その収容部から下向きに垂設した外周壁とを有していて、収容部の開口下端部が外向きのフランジ状に張り出し形成されて、開口下端部の外周縁に外周壁が連続して形成されており、その外周壁が、はぜ折りされた内外二重の壁で形成してある。そして、ガスケットが、正極缶の周壁と負極缶の外周壁とで挟持されることで、ガスケットによって正極缶と負極缶との間が封止される。
【０００３】
前記扁平形電池にあっては高容量化が求められている。そのため、扁平形電池の電池缶内に収容される電極材や電解液の量を増やす必要があるが、扁平形電池の外形寸法は予め規定されており、その規定内で高容量化を図る必要がある。その対策としては、電池缶を形成する壁を薄くすることが考えられ、さらに高容量化を図るうえでは、特許文献３〜６に示すように、負極缶の外周壁をはぜ折せずに一重の壁で形成することが考えられる。
【０００４】
【特許文献１】ＷＯ０２／０１３２９０号公報（図１−２）
【特許文献２】特開２００３−１５１５１１号公報（図１）
【特許文献３】特開平７−５７７０６号公報（図１）
【特許文献４】特開２００３−６８２５４号公報（図１−３）
【特許文献５】特開平４−３４１７５６号公報（図１）
【特許文献６】特許第３３９９８０１号公報（図１）
【発明の開示】
【発明が解決しようとする課題】
【０００５】
前記負極缶の外周壁を一重の壁で形成した場合には、外周壁を二重の壁で形成した場合に比べて外周壁の厚さ方向の強度が低くなる。そのため、正極缶の周壁を正極缶の軸芯側に向けてかしめ加工する際に、負極缶の外周壁に対して負極缶の軸芯側への力が加わると、外周壁が負極缶の軸芯側へ簡単に曲がってしまう。その場合、負極缶の外周壁とガスケットとの間に隙間ができて、電解液が漏れ出すおそれがあるところに問題がある。
【０００６】
そこで本発明の目的は、電池の高容量化を図るために封口缶の外周壁を一重の壁で形成しても、外装缶と封口缶との間をガスケットで確実に封止できる扁平形電池を提供することにある。
【課題を解決するための手段】
【０００７】
本発明は、上向きに開口する外装缶１と、下向きに開口する封口缶２と、外装缶１と封口缶２との周縁間に配置されて外装缶１と封口缶２との間を封止するガスケット３とを有していて、封口缶２とガスケット３とを外装缶１内に嵌め込んでから外装缶１の筒状の周壁１３の開口側を外装缶１の軸芯側へ湾曲させて、外装缶１と封口缶２とをガスケット３を介在させた状態でかしめ固定してある扁平型電池を対象とする。そして、前記外装缶１の周壁１３は、外装缶１の底板１２に対して垂直に立ち上がっている。封口缶２は、逆皿形状の収容部２１と、収容部２１から下向きに垂設した一重の外周壁２４ａとを有している。封口缶２の収容部２１は、その開口下端部２２が外向きのフランジ状に張り出し形成されていて、開口下端部２２の外周縁に外周壁２４ａが連続して形成されている。封口缶２の外周壁２４ａは、外装缶１の底板１２に対して垂直になるように配置されている。ガスケット３は、外装缶１の底板１２に接する状態で封口缶２の外周壁２４ａの下端側の周縁２０を受け止めるベース部２５と、ベース部２５から上向きに張り出して外装缶１の周壁１３と封口缶２の外周壁２４ａとの間に介在する外筒壁２６とを有している。外装缶１の周壁１３は、当該周壁１３の開口側が外装缶１の軸芯側へ向けて湾曲することで、封口缶２の外周壁２４ａに対して横向きの姿勢となる湾曲端部１３ａが形成されている。外装缶１の周壁１３の湾曲端部１３ａが、ガスケット３の外筒壁２６の上端部を封口缶２の外周壁２４ａ側へ向けて垂直方向に押圧していることで、ガスケット３の外筒壁２６の上端部が垂直方向に圧縮されていることを特徴とする（図１）。
【０００８】
外装缶１の周壁１３の湾曲端部１３ａの先端位置１３ｂは、封口缶２の外周壁２４ａの内面２３ａよりも外装缶１の軸芯側に位置している。封口缶２の外周壁２４ａの内面２３ａを延長した第１の仮想延長面Ｅ１から外装缶１の周壁１３の湾曲端部１３ａの先端位置１３ｂまでの横方向の寸法Ｌは、封口缶２の外周壁２４ａの厚さ寸法Ｔの１０〜３００％の寸法範囲内に設定されている。封口缶２の外周壁２４ａの外面２３ｂを延長した第２の仮想延長面Ｅ２が外装缶１の周壁１３の外面に接する箇所Ｐにおいて、前記第２の仮想延長面Ｅ２に対する前記箇所Ｐに接する仮想平面Ｋの上方向への傾斜角度Ｄは、６５〜１０５°の範囲内に設定されている。
【０００９】
外装缶１の周壁１３の下部１３ｃに繋がっていて外装缶１の周壁１３の湾曲が始まる湾曲始点位置Ｑは、封口缶２の収容部２１の開口下端部２２よりも上側に位置しているものとすることができる（図６）。
【００１０】
外装缶１の底板１２の中央部分を下向きに凹ませて凹部１５を形成していて、凹部１５の外側に凹部１５を囲む環状の外周縁部１ａが形成される。ガスケット３のベース部２５は、外装缶１の底板１２の外周縁部１ａに接触するものとすることができる（図１）。
【００１１】
封口缶２の外周壁２４ａは、開口側に向かうに従って厚さ寸法が小さくなる先細り状に形成してあるものとすることができる。
【発明の効果】
【００１２】
本発明の扁平形電池は、外装缶１の周壁１３の湾曲端部１３ａが、ガスケット３の外筒壁２６の上端部を封口缶２の外周壁２４ａ側へ向けて垂直方向に押圧するので、ガスケット３の外筒壁２６の上端部が外装缶１の湾曲端部１３ａと封口缶２の外周壁２４ａの上端部との間に圧縮状態で挟持されるとともに、ガスケット３のベース部２５が封口缶２の外周壁２４ａの下端側の周縁２０と外装缶１の底板１２との間に圧縮状態で挟持される。これにて外装缶１の湾曲端部１３ａと封口缶２の外周壁２４ａとの間、および封口缶２の外周壁２４ａと外装缶１の底板１２との間がガスケット３で確りと封止される。そのかしめ固定に伴う押圧力は、主として封口缶２の外周壁２４ａの縦方向に加わるために、一重の壁で形成したことで厚さ方向（横方向）の強度があまり高くない封口缶２の外周壁２４ａが、かしめ固定による押圧力で厚さ方向へ折れ曲がることが低減される。その分だけガスケット３による封止作用が低下することを防止でき、外装缶１と封口缶２との間をガスケット３で確実に封止することができる。そして、封口缶２の外周壁２４ａを一重の壁で形成したので、電池の外形寸法を変更することなく電池の内部容積を大きくすることができる。つまり、電池内部に収容できる電極材や電解液等の量を増やすことができ、その分だけ電池の高容量化を図ることができる。
【００１３】
封口缶２の外周壁２４ａの内面２３ａを延長した第１の仮想延長面Ｅ１から外装缶１の湾曲端部１３ａの先端位置１３ｂまでの横方向の寸法Ｌが、封口缶２の外周壁２４ａの厚さ寸法Ｔの１０〜３００％の寸法範囲内に設定されるので、前記湾曲端部１３ａが、封口缶２の外周壁２４ａの上側に確実に覆い被さって、外周壁２４ａを確実に押圧することができる。そのうえで、前記外周壁２４ａの外面２３ｂを延長した第２の仮想延長面Ｅ２が外装缶１の周壁１３の外面に接する箇所Ｐにおいて、その箇所Ｐに接する仮想平面Ｋの上方向への傾斜角度Ｄが６５〜１０５°の範囲内となるので、前記湾曲端部１３ａによる押圧力が、主として封口缶２の外周壁２４ａの縦方向に適正に加わる。これにて封口缶２の外周壁２４ａが、かしめ固定による押圧力で厚さ方向へ折れ曲がることが確実に低減される。その分だけガスケット３による封止作用が低下することを確実に防止でき、外装缶１と封口缶２との間をガスケット３でより確実に封止できる。
【００１４】
外装缶１の周壁１３の湾曲始点位置Ｑが封口缶２の収容部２１の開口下端部２２よりも上側に位置していると、かしめ加工で外装缶１の周壁１３が湾曲する際に、その湾曲時の押圧力がガスケット３を介して封口缶２の外周壁２４ａに加わることが抑えられて、封口缶２の外周壁２４ａが、その厚さ方向へ折れ曲がることがより低減されて、ガスケット３での封止作用が低下することをより確実に防止できる。
【００１５】
外装缶１の底板１２の中央部分を下向きに凹ませて凹部１５を形成すると、凹部１５を形成した分だけ外装缶１の底板１２の強度が高まって、その凹部１５の外側の外周縁部１ａにかしめ加工に伴う力が加わっても外装缶１の底板１２がたわみ難くなって、その点からもガスケット３での封止作用が低下することを確実に防止できる。
【００１６】
封口缶２の外周壁２４ａを開口側に向かうに従って厚さ寸法が小さくなる先細り状に形成してあると、幅が狭くなった分だけ単位面積あたりの押圧力が大きくなった封口缶２の外周壁２４ａの下端が、ガスケット３のベース部２５に押し付けられる。これにて封口缶２の外周壁２４ａの下端と外装缶１の底板１２との間が、ガスケット３でより確りと封止される。
【発明を実施するための最良の形態】
【００１７】
図面は、本発明を適用した扁平形電池を示している。扁平形電池は、図１および図２に示すように、上向きに開口する正極缶（外装缶）１と、下向きに開口する負極缶（封口缶）２と、正極缶１と負極缶２との周縁間に配置されて正極缶１と負極缶２との間を封止する円環状のガスケット３と、正極缶１と負極缶２とガスケット３とで形成される電池缶５内に収容される発電要素６および非水電解液とを有しており、全体が扁平なコイン形状に形成されている。
【００１８】
そして、電池缶５の内部に発電要素６および非水電解液が収容されるとともに、負極缶２がガスケット３を介在させた状態で正極缶１の開口内縁にかしめ固定されることで、ガスケット３によって正極缶１と負極缶２との間が封止（密封）される（図２の状態）。なお、正極缶１と負極缶２とはガスケット３によって絶縁される。電池の外径寸法は２４．５ｍｍ、全厚寸法は５．０ｍｍである。
【００１９】
発電要素６は、正極活物質等を円盤形状に固めた正極材（電極材）７と、負極活物質の金属リチウム又はリチウム合金を円盤形状に形成した負極材（電極材）９と、不織布製のセパレータ１０とを含み、図２に示すように、正極材７の上側にセパレータ１０を介して負極材９が配置される。正極材７は、その外面に正極リング１１が装着される。正極リング１１は、所要の剛性および導電性を有するステンレス鋼等で形成される。
【００２０】
電池組み立て前のブランク状態の正極缶１は、図３に示すように、丸皿形状のプレス成形品から成り、正極缶１の底板１２の外周縁に連続して円筒形状の周壁１３が立ち上げ形成されている。正極缶１の周壁１３は、底板１２の外周縁部１ａに対してほぼ垂直に立ち上がっている。正極缶１の底板１２の中央部分を下向きに凹ませて凹部１５を形成してあり、その凹部１５で正極材７が正極リング１１と共に受け止められる（図２の状態）。正極缶１の底板１２であって、凹部１５の外側には当該凹部１５を囲む円環状の外周縁部１ａが形成されている。正極缶１の底板１２の凹部１５の下面および外周縁部１ａの上面は、それぞれ平坦面になっている。
【００２１】
正極リング１１は、上下が開口していて正極材７の周側面に接する円筒部１６と、円筒部１６の下端から正極リング１１の軸芯側へ水平状に延びる円環形状のフランジ部１７とを一体に有している。そして、円筒部１６の上面が開口していることで、正極材７は放電時に上方へ自由に膨張できる。
【００２２】
負極缶２は、丸皿形状のプレス成形品から成り、その上壁側に設けられる負極材収容用の浅い逆皿形状の収容部２１と、収容部２１から下向きに垂設した一重の壁で形成された外周壁２４ａとを一体に有している。収容部２１は、その開口下端部２２が外向きのフランジ状に張り出し形成されており、開口下端部２２の外周縁に前記外周壁２４ａが連続して形成されている。つまり、負極缶２は、収容部２１側の内周壁２４ｂと前記外周壁２４ａとの二段周壁構造になっている。負極缶２の外周壁２４ａは、正極缶１の底板１２の外周縁部１ａに対してほぼ垂直になるように配置される。
【００２３】
ガスケット３は、ポリフェニレンサルファイド（ＰＰＳ）を主成分としており、それにオレフィン系エラストマーを含有した樹脂組成物で形成してある。ガスケット３は、リング形状のベース部２５と、ベース部２５の外周縁から上向きに張り出して正極缶１の周壁１３と負極缶２の外周壁２４ａとの間に介在する外筒壁２６と、ベース部２５の内周縁から上向きに張り出す内筒壁２７とを一体に有している。ガスケット３のベース部２５は、図１に示すように、正極缶１の底板１２の外周縁部１ａに接する状態で負極缶２の外周壁２４ａの下端を受け止めている。ガスケット３の外筒壁２６は、その厚さ寸法が上下方向にわたってほぼ一定になっている。
【００２４】
正極材７は、正極活物質として二酸化マンガンを含有しており、その二酸化マンガンに、黒鉛、テトラフルオロエチレン−ヘキサフルオロプロピレン共重合体およびヒドロキシプロピルセルロースを混合して正極合剤を調整し、所定の金型内に正極リング１１をセットしたのちに、前記正極合剤を充填して加圧成形し、この成形体を加熱して円盤状に形成する。セパレータ１０は、ポリブチレンテレフタレート製の繊維を素材とする不織布を使用しており、セパレータ１０には非水電解液が含浸する。非水電解液としては、プロピレンカーボネイトと１，２−ジメトキシエタンとを混合した溶媒にＬｉＣｌＯ4 を溶解した溶液を用いた。セパレータ１０の厚さ寸法は、０．３〜０．４ｍｍ程度である。
【００２５】
電池の組み立てに際しては、図３とは天地を逆にした状態で組み立てる。正極材７は、正極リング１１が予め装着されている。そして、負極缶２の開口端部にガスケット３を装着し、負極缶２の収容部２１の内面に負極材９を導電性接着剤等で固定したのちに、セパレータ１０および正極材７を負極材９の上側に重ねるように組み付ける。次に、負極缶２内に非水電解液を注入したうえで、正極缶１を上方より被せて負極缶２とガスケット３とを正極缶１内に嵌め込んでから、正極缶１の周壁１３の開口側を正極缶１の軸芯側へ湾曲させて、正極缶１と負極缶２とをガスケット３を介在させた状態でかしめ固定する。それによって電池の組み立てが完了する（図２の状態）。
【００２６】
前記かしめ加工においては、かしめ用の金型を用いてかしめ加工を行う。つまり、かしめ用の金型は、図４に示すように、正極缶１の周壁１３の開口側を正極缶１の軸芯側へ湾曲させるための曲面部３０を有する封口金型３１と、封口金型３１を貫通していて上下方向に移動可能なノックアウトピン３２と、ノックアウトピン３２の上方に対面状に配置してあって上下方向に移動可能な封口上パンチ３３とを有している。
【００２７】
そして、ノックアウトピン３２を上昇させた状態で、負極缶２を下側にした電池缶５をノックアウトピン３２の上面に載置する。次いで、正極缶１の底板１２に封口上パンチ３３を当接させて、電池缶５をノックアウトピン３２と封口上パンチ３３とで挟み込む。その状態でノックアウトピン３２と封口上パンチ３３とを下降させることで、図５に示すように、正極缶１の周壁１３の開口側が、封口金型３１の曲面部３０に沿って正極缶１の軸芯側へカール状に湾曲し、正極缶１の周壁１３の湾曲端部１３ａが、封口金型３１の曲面部３０の下面３０ａに押し付けられることで、負極缶２の外周壁２４ａに対してほぼ垂直となる横向きの姿勢に形成される。その横向きの姿勢に形成される際に正極缶１の周壁１３の湾曲端部１３ａがガスケット３の外筒壁２６の上端部を負極缶２の外周壁２４ａ側へ向けて垂直方向（縦方向）に押圧する。
【００２８】
それに伴って、ガスケット３の外筒壁２６の上端部における正極缶１の湾曲端部１３ａと負極缶２の外周壁２４ａの上端部との間の挟持部分３５（図１）が垂直方向に圧縮変形して、その挟持部分３５が正極缶１の湾曲端部１３ａと負極缶２の外周壁２４ａの上端側とに密着し、更に負極缶２の外周壁２４ａの下端側の周縁２０がガスケット３のベース部２５に食い込んで、そのガスケット３のベース部２５における正極缶１の底板１２の外周縁部１ａと負極缶２の外周壁２４ａの下端周縁２０との間の挟持部分３６が垂直方向に圧縮変形して、その挟持部分３６が正極缶１の底板１２の外周縁部１ａと負極缶２の外周壁２４ａの下端周縁２０とに密着する。つまり、正極缶１の開口端部１３ａと負極缶２の外周壁２４ａの上端部との間、および負極缶２の外周壁２４ａの下端部と正極缶１の底板１２の外周縁部１ａとの間がガスケット３で確りと封止される。
【００２９】
前記かしめ加工後において、図１に示すように、正極缶１の周壁１３の湾曲端部１３ａの先端位置１３ｂが、負極缶２の外周壁２４ａの内面２３ａよりも正極缶１の軸芯側（図１では左側）に位置している。負極缶２の外周壁２４ａの内面２３ａを延長した第１の仮想延長面Ｅ１から正極缶１の周壁１３の湾曲端部１３ａの先端位置１３ｂまでの横方向の寸法Ｌは、負極缶２の外周壁２４ａの厚さ寸法Ｔの１０〜３００％の寸法範囲内に設定されている。具体的には、前記横方向の寸法Ｌは、０．０５〜０．７５ｍｍの範囲内に設定される。
【００３０】
前記横方向の寸法Ｌが負極缶２の外周壁２４ａの厚さ寸法Ｔの１０％よりも小さいときには、正極缶１の周壁１３の開口端部１３ａによる押圧力が負極缶２の外周壁２４ａ側へ伝わり難くなってガスケット３による封止作用が過度に低下する。前記横方向の寸法Ｌが負極缶２の外周壁２４ａの厚さ寸法Ｔの３００％よりも大きいときには、正極缶１の開口端部１３ａの先端位置１３ｂが負極缶２の収容部２１に近づき過ぎて、その正極缶１の先端と負極缶２の収容部２１とが接触するおそれがある。
【００３１】
負極缶２の外周壁２４ａの外面２３ｂを延長した第２の仮想延長面Ｅ２が正極缶１の周壁１３の外面に接する箇所Ｐにおいて、前記第２の仮想延長面Ｅ２に対する前記箇所Ｐに接する仮想平面Ｋの上方向（図１では反時計回り方向）への傾斜角度Ｄが、６５〜１０５°の範囲内となっている。前記傾斜角度Ｄが６５°よりも小さい、又は傾斜角度Ｄが１０５°よりも大きい場合には、正極缶１の周壁１３の開口端部１３ａによる押圧力が負極缶２の外周壁２４ａ側へ伝わり難くなるうえに、負極缶２の外周壁２４ａに対してその厚さ方向に押圧力が加わって負極缶２の外周壁２４ａが撓むおそれがある。前記傾斜角度Ｄは、８０〜１００°の範囲内であることがより好ましく、９０°であることが最も好ましいが、生産性等を考慮して６５〜１０５°の範囲内に設定される。なお、前記傾斜角度Ｄが９０°よりも大きい場合には、正極缶１の周壁１３の湾曲端部１３ａは、その先端が下側となる下り傾斜状になる。
【００３２】
図６に示すように正極缶１の周壁１３の上部において、その周壁１３の下部１３ｃに繋がっていて正極缶１の周壁１３の湾曲が始まる湾曲始点位置Ｑが、負極缶２の収容部２１の開口下端部２２よりも上側に位置するように、かしめ加工を行ってもよい。この場合、かしめ加工で正極缶１の周壁１３が封口金型３１の曲面部３０によって湾曲する際に、その湾曲時の横方向の押圧力が、ガスケット３を介して負極缶２の外周壁２４ａに加わることがより効果的に抑えられる。また、正極缶１の周壁１３の湾曲部１３ｄの内面１３ｅ側（図１）のアールは、例えば０．２〜０．７ｍｍの範囲内に設定される。正極缶１の周壁１３の下部１３ｃと、負極缶２の外周壁２４ａの外面２３ｂとの間の寸法は、ガスケット３の外筒壁２６の幅寸法よりも僅かに小さく設定してあり、ガスケット３の外筒壁２６の弾性復元力が負極缶２の外周壁２４ａに加わり難くしてある。このように、負極缶２の外周壁２４ａにおいては、かしめ加工の際の押圧力は主として縦方向に加わる。
【００３３】
前記説明では、図１に示すように正極缶１内に負極缶２とガスケット３とが嵌め込まれるようになっているが、負極缶２内に正極缶１とガスケット３とが嵌め込まれるように正極缶１と負極缶２とを構成してもよい。ガスケット３は、正極缶１と負極缶２との間に介在して正極缶１と負極缶２とを封止できる形状であればよく、図１に示す形状以外の形状であってもよい。
【００３４】
負極缶２の外周壁２４ａを、その下側の開口側に向かうに従って厚さ寸法が小さくなる先細り状に形成してあると、負極缶２の外周壁２４ａの下端がガスケット３のベース部２５に深く食い込んで、ガスケット３のベース部２５が強く押され、それによって負極缶２の外周壁２４ａの下端と正極缶１の底板１２の外周縁部１ａとの間がガスケット３によってより確りと封止される。その場合の前記負極缶２の外周壁２４ａの厚さ寸法Ｔは、負極缶２の外周壁２４ａの上端の厚さ寸法に設定される。
【図面の簡単な説明】
【００３５】
【図１】本発明に係る扁平形電池の要部を示す縦断面図である。
【図２】扁平形電池全体の縦断面図である。
【図３】扁平形電池の分解断面図である。
【図４】かしめ用の金型でのかしめ加工を示す縦断面図である。
【図５】図４の要部拡大図である。
【図６】本発明に係る扁平形電池の他の形態を示す縦断面図である。
【符号の説明】
【００３６】
１  正極缶
１ａ  外周縁部
２  負極缶
３  ガスケット
１２  底板
１３  周壁
１３ａ  湾曲端部
１３ｃ  下部
１５  凹部
２１  収容部
２２  開口下端部
２３ａ  内面
２３ｂ  外面
２４ａ  外周壁
２５  ベース部
２６  外筒部
Ｄ  傾斜角度
Ｅ１  第１の仮想延長面
Ｅ２  第２の仮想延長面
Ｋ  仮想平面
Ｌ  第１の仮想延長面から正極缶の湾曲端部の先端位置までの寸法
Ｔ  正極缶の外周壁の厚さ寸法
Ｐ  箇所
Ｑ  湾曲始点位置
【図１】
2008262905.tif 000003
【図２】
2008262905.tif 000004
【図３】
2008262905.tif 000005
【図４】
2008262905.tif 000006
【図５】
2008262905.tif 000007
【図６】
2008262905.tif 000008